(57)【要約】【課題】音声出力回路において、マイコンに電源が入力されたときにノイズ音が発生するのを防止する。【解決手段】音声出力回路１は、音声の出力を制御するためのマイコン２と、音声の出力が可能な状態と不可能な状態とに切替えるミュート回路３と、マイコン２の起動時にノイズ音が出力されるのを防止するダイオード４等を備える。マイコン２は、電源入力ポート２１に電源ＶＣＣが入力された後に、リセット信号入力ポート２２にＨｉｇｈアクティブのリセット信号が入力されることにより、動作を開始して、ミュート制御信号出力ポート２４からＨｉｇｈアクティブのミュート制御信号とＬｏｗアクティブのミュート制御信号を選択的に出力する制御を開始する。ダイオード４は、アノードがマイコン２のミュート制御信号出力ポート２４に接続され、カソードがマイコン２のリセット信号入力ポート２２に接続されている。【選択図】図１
2009177638.tif 000002
【特許請求の範囲】
【請求項１】
音声の出力を制御するためのマイコンと、音声の出力が可能な状態と不可能な状態とに切替えるミュート回路とを備え、
前記マイコンは、該マイコンを動作させるための電源が入力される電源入力ポート、該マイコンをリセットするためのリセット信号が入力されるリセット信号入力ポート、音声信号を出力するためのオーディオ出力ポート、及び前記ミュート回路による音声の出力が可能な状態と不可能な状態との切換えを制御するためのミュート制御信号を出力するミュート制御信号出力ポートを有し、前記リセット信号入力ポートにＬｏｗアクティブのリセット信号が入力されている状態では、動作を停止し、前記電源入力ポートに電源が入力されると共に、前記リセット信号入力ポートにＨｉｇｈアクティブのリセット信号が入力されることにより、動作を開始して、前記ミュート制御信号出力ポートからＨｉｇｈアクティブの制御信号とＬｏｗアクティブの制御信号を選択的に出力する制御を開始し、
前記ミュート回路は、前記オーディオ出力ポートと前記ミュート制御信号出力ポートとの間に接続され、前記ミュート制御信号出力ポートから出力されたＨｉｇｈアクティブのミュート制御信号が入力されているときに、前記オーディオ出力ポートから出力される音声信号のスピーカへの出力を可能とし、前記ミュート制御信号出力ポートから出力されたＬｏｗアクティブのミュート制御信号が入力されているときに、前記オーディオ出力ポートから出力される音声信号のスピーカへの出力を不可能とし、
前記電源入力ポートに電源が入力されていないとき、前記リセット信号入力ポートにＬｏｗアクティブのリセット信号が入力され、前記電源入力ポートに電源が入力された後、前記リセット信号入力ポートにＨｉｇｈアクティブのリセット信号が入力される音声出力回路において、
前記電源入力ポートに電源が入力された後、前記リセット信号入力ポートにＨｉｇｈアクティブのリセット信号が入力されるまでの間、電源入力ポートに電源が入力されたことによって過渡的に前記ミュート制御信号出力ポートからＨｉｇｈアクティブのミュート制御信号が出力されたとしても、そのＨｉｇｈアクティブのミュート制御信号が前記ミュート回路に入力されないようにする信号入力制限手段を備える、
ことを特徴とする音声出力回路。
【請求項２】
前記信号入力制限手段は、アノードが前記ミュート制御信号出力ポートに接続され、カソードが前記リセット信号入力ポートに接続されたダイオードである、
ことを特徴とする請求項１に記載の音声出力回路。
【発明の詳細な説明】
【技術分野】
【０００１】
本発明は、例えばＣＤプレイヤやテレビジョン受像機等のオーディオ機器に用いることができる音声出力回路に関するものである。
【背景技術】
【０００２】
従来から、音声出力回路としては、図２に示す構成のものが知られている。図２に示す音声出力回路７０は、音声の出力を制御するためのマイコン７１と、音声の出力が可能な状態と不可能な状態とに切替えるミュート回路７２等を備える。
【０００３】
マイコン７１は、マイコン７１を動作させるための電源ＶＣＣが入力される電源入力ポート８１、マイコン７１をリセットするためのリセット信号が入力されるリセット信号入力ポート８２、音声信号を出力するためのオーディオ出力ポート８３、及び音声の出力が可能な状態と不可能な状態との切換えを制御するためのミュート制御信号を出力するミュート制御信号出力ポート８４を有している。
【０００４】
電源入力ポート８１には、電源ライン９１を介して電源ＶＣＣが入力される。ユーザに操作される電源スイッチ（不図示）がオフのときには、電源入力ポート８１には電源ＶＣＣが入力されず、電源スイッチがオンされることにより、電源入力ポート８１に電源ＶＣＣが入力される。リセット信号入力ポート８２には、リセット信号ライン９２を介してリセット信号が入力される。電源スイッチがオフのとき（電源入力ポート８１に電源が入力されていないとき）には、リセット信号入力ポート８２にＬｏｗアクティブ（Ｌｏｗレベルの信号入力時にアクティブとなる）のリセット信号が入力され、電源スイッチがオンされると、電源入力ポート８１に電源ＶＣＣが入力されてから（電源スイッチがオンされてから）所定遅延時間（数ｍｓ）後に、リセット信号入力ポート８２にＨｉｇｈアクティブ（Ｈｉｇｈレベルの信号入力時にアクティブとなる）のリセット信号が入力される。オーディオ出力ポート８３には、音声信号ライン９３を介して音声出力端子９９が接続されており、音声出力端子９９には、スピーカ（不図示）が接続されている。
【０００５】
マイコン７１は、リセット信号入力ポート８２にＬｏｗアクティブのリセット信号が入力されている状態では、動作を停止し、電源入力ポート８１に電源ＶＣＣが入力されると共に、リセット信号入力ポート８２にＨｉｇｈアクティブのリセット信号が入力されることにより、動作を開始する。そして、マイコン７１は、動作している状態では、オーディオ出力ポート８３から音声信号を出力する制御を行うと共に、ミュート制御信号出力ポート８４からＨｉｇｈアクティブのミュート制御信号とＬｏｗアクティブのミュート制御信号を選択的に出力する制御を行う。
【０００６】
ミュート回路７２は、音声信号ライン９３及びミュート制御信号ライン９４を介して、オーディオ出力ポート８３とミュート制御信号出力ポート８４との間に接続されている。ミュート回路７２は、ミュート制御信号出力ポート８４からＨｉｇｈアクティブのミュート制御信号が出力されているときに、オーディオ出力ポート８３から出力される音声信号のスピーカ（不図示）への出力を可能とし、また、ミュート制御信号出力ポート８４からＬｏｗアクティブのミュート制御信号が出力されているときに、オーディオ出力ポート８３から出力される音声信号のスピーカへの出力を不可能とする。
【０００７】
このような構成の音声出力回路７０は、電源スイッチがオンされると、マイコン７１の電源入力ポート８１に電源ＶＣＣが入力されると共に、電源入力ポート８１に電源ＶＣＣが入力されてから（電源スイッチがオンされてから）所定遅延時間後にマイコン７１のリセット信号入力ポート８２にＨｉｇｈアクティブのリセット信号が入力される。これにより、マイコン７１が起動して動作を開始し、マイコン７１によって、ミュート制御信号出力ポート８４からＨｉｇｈアクティブのミュート制御信号とＬｏｗアクティブのミュート制御信号を選択的に出力する制御が開始される。
【０００８】
一方、電源がオフにされたときに、音声増幅回路のミュートピンに印加されている電圧を減少させることにより、電源がオフにされたときのポップ音の発生を防止するようにした音声出力回路が知られている（例えば、特許文献１参照）。また、マイコンの初期化処理時に、マイコンの初期化処理に影響を受けない外付け回路により音声信号の遮断処理を行うことにより、マイコンの初期化処理に伴う異音の発生を防止するようにした音声出力回路が知られている（例えば、特許文献２参照）。また、電源がオフされたときに、音声ミュート出力回路が音声ミュート信号を音声回路に出力することにより、電源がオフされたときの音声ミュートを円滑に行うようにした音声出力回路が知られている（例えば、特許文献３参照）。また、電源がオンされたときに、リセット信号がＬｏｗアクティブである期間、及び、マイコンが動作を開始してＬｏｗアクティブのミュート制御信号を出力している期間、音声増幅器の音声出力をアースすることにより、電源がオンされたときに音声増幅器が不安定になることによるポップ音の発生を防止するようにした音声出力回路が知られている（例えば、特許文献４参照）。また、電源がオンされたときに、音声増幅器に印加される電圧がポップ音を発生してしまう所定の電圧値を越えた後に、音声増幅器とスピーカとを接続することにより、電源がオンされたときに音声増幅器が不安定になることによるポップ音の発生を防止するようにした音声出力回路が知られている（例えば、特許文献５参照）。
【特許文献１】特開平１０−２４２７６７号公報
【特許文献２】特開２００３−１７４６９３号公報
【特許文献３】特開平９−１３９６２９号公報
【特許文献４】特開平８−１７２３２０号公報
【特許文献５】特開２００６−６７０２５号公報
【発明の開示】
【発明が解決しようとする課題】
【０００９】
ところが、上述した従来の音声出力回路７０においては、電源スイッチがオンされてマイコン７１（電源入力ポート８１）に電源ＶＣＣが入力されたとき、過渡的な現象によって、一瞬、マイコン７１（ミュート制御信号出力ポート８４）からＨｉｇｈアクティブのミュート制御信号が出力されてしまい、これにより、一瞬、ミュート制御信号ライン９４及びミュート回路７２を介して音声信号ライン９３にノイズが進入してしまい、スピーカからポップ音（ノイズ音）が発生しまうことがある。なお、上述した特許文献１乃至特許文献５に開示の内容を適用したとしても、上記の問題を解決することはできない。
【００１０】
本発明は、上記課題を解決するためになされたものであり、マイコンに電源が入力されたときにノイズ音が発生するのを防止することができる音声出力回路を提供することを目的とする。
【課題を解決するための手段】
【００１１】
上記目的を達成するために請求項１の発明は、音声の出力を制御するためのマイコンと、音声の出力が可能な状態と不可能な状態とに切替えるミュート回路とを備え、マイコンは、該マイコンを動作させるための電源が入力される電源入力ポート、該マイコンをリセットするためのリセット信号が入力されるリセット信号入力ポート、音声信号を出力するためのオーディオ出力ポート、及びミュート回路による音声の出力が可能な状態と不可能な状態との切換えを制御するためのミュート制御信号を出力するミュート制御信号出力ポートを有し、リセット信号入力ポートにＬｏｗアクティブのリセット信号が入力されている状態では、動作を停止し、電源入力ポートに電源が入力されると共に、リセット信号入力ポートにＨｉｇｈアクティブのリセット信号が入力されることにより、動作を開始して、ミュート制御信号出力ポートからＨｉｇｈアクティブの制御信号とＬｏｗアクティブの制御信号を選択的に出力する制御を開始し、ミュート回路は、オーディオ出力ポートとミュート制御信号出力ポートとの間に接続され、ミュート制御信号出力ポートから出力されたＨｉｇｈアクティブのミュート制御信号が入力されているときに、オーディオ出力ポートから出力される音声信号のスピーカへの出力を可能とし、ミュート制御信号出力ポートから出力されたＬｏｗアクティブのミュート制御信号が入力されているときに、オーディオ出力ポートから出力される音声信号のスピーカへの出力を不可能とし、電源入力ポートに電源が入力されていないとき、リセット信号入力ポートにＬｏｗアクティブのリセット信号が入力され、電源入力ポートに電源が入力された後、リセット信号入力ポートにＨｉｇｈアクティブのリセット信号が入力される音声出力回路において、電源入力ポートに電源が入力された後、リセット信号入力ポートにＨｉｇｈアクティブのリセット信号が入力されるまでの間、電源入力ポートに電源が入力されたことによって過渡的にミュート制御信号出力ポートからＨｉｇｈアクティブのミュート制御信号が出力されたとしても、そのＨｉｇｈアクティブのミュート制御信号がミュート回路に入力されないようにする信号入力制限手段を備えるものである。
【００１２】
請求項２の発明は、信号入力制限手段は、アノードがミュート制御信号出力ポートに接続され、カソードがリセット信号入力ポートに接続されたダイオードであるものである。
【発明の効果】
【００１３】
請求項１の発明によれば、マイコンに電源が入力されたとき、過渡的な現象によって、一瞬、マイコンからＨｉｇｈアクティブのミュート制御信号が出力されたとしても、そのＨｉｇｈアクティブのミュート制御信号は、信号入力制限手段の働きによって、ミュート回路に入力されない。これにより、マイコンに電源が入力されたときにノイズ音が発生するのを防止することができる。
【００１４】
請求項２の発明によれば、簡素で容易な構成によって、マイコンに電源が入力されたときにノイズ音が発生するのを防止することができる。
【発明を実施するための最良の形態】
【００１５】
以下、本発明を具体化した実施形態による音声出力回路について図面を参照して説明する。図１は、本実施形態による音声出力回路の構成を示す。音声出力回路１は、スピーカから音声を出力するための回路であり、例えばＣＤプレイヤやテレビジョン受像機等のオーディオ機器に用いられる。
【００１６】
音声出力回路１は、音声の出力を制御するマイコン２と、音声の出力が可能な状態と不可能な状態とに切替えるミュート回路３と、マイコン２に電源が入力されたときにノイズ音が出力されるのを防止するダイオード（信号入力制限手段）４等を備える。
【００１７】
マイコン２は、マイコン２を動作させるための電源ＶＣＣが入力される電源入力ポート２１、マイコン２をリセットするためのリセット信号が入力されるリセット信号入力ポート２２、音声信号を出力するためのオーディオ出力ポート２３、及びミュート回路３による音声の出力が可能な状態と不可能な状態との切換えを制御するためのミュート制御信号を出力するミュート制御信号出力ポート２４等を有している。
【００１８】
電源入力ポート２１には、ユーザに操作される電源スイッチ（不図示）及び電源ライン４１を介して電源ＶＣＣが入力されるようになっている。電源スイッチがオフのときには、電源入力ポート２１に電源ＶＣＣが入力されず、電源スイッチがオンされることにより、電源入力ポート２１に電源ＶＣＣが入力される。
【００１９】
リセット信号入力ポート２２には、リセット信号ライン４２を介してリセット回路（不図示）が接続されており、リセット回路からリセット信号ライン４２を介してリセット信号が入力されるようになっている。電源スイッチがオフのとき（すなわち電源入力ポート２１に電源ＶＣＣが入力されていないとき）には、リセット信号入力ポート２２にＬｏｗアクティブのリセット信号が入力され、電源スイッチがオンされると、電源入力ポート２１に電源ＶＣＣが入力されてから（電源スイッチがオンされてから）所定遅延時間（数ｍｓ）後に、リセット信号入力ポート２２にＨｉｇｈアクティブのリセット信号が入力される。
【００２０】
オーディオ出力ポート２３には、音声信号ライン４３を介して、音声出力端子５０が接続されており、音声出力端子５０には、スピーカ（不図示）が接続されている。ミュート制御信号出力ポート２４には、ミュート制御信号ライン４４を介して、ミュート回路３が接続されている。
【００２１】
マイコン２は、リセット信号入力ポート２２にＬｏｗアクティブのリセット信号が入力されている状態では、動作を停止し、電源入力ポート２１に電源ＶＣＣが入力されると共に、リセット信号入力ポート２２にＨｉｇｈアクティブのリセット信号が入力されることにより、動作を開始する。そして、マイコン２は、動作している状態では、オーディオ出力ポート２３から音声信号を出力する制御を行うと共に、ミュート制御信号出力ポート２４からＨｉｇｈアクティブのミュート制御信号とＬｏｗアクティブのミュート制御信号を選択的に出力する制御を行う。
【００２２】
ミュート回路３は、音声信号ライン４３及びミュート制御信号ライン４４を介して、オーディオ出力ポート２３とミュート制御信号出力ポート２４との間に接続されている。ミュート回路３は、ＰＮＰ型の第１のトランジスタ３１と、ＮＰＮ型の第２のトランジスタ３２等を備える。
【００２３】
第１のトランジスタ３１は、ベースがミュート制御信号ライン４４を介してミュート制御信号出力ポート２４に接続され、コレクタが第２のトランジスタ３２のベースに接続されており、エミッタに電源ＶＥが供給されるようになっている。第１のトランジスタ３１のエミッタには、電源スイッチのオン、オフの状態に関わらず、常時、電源ＶＥが供給される。第２のトランジスタ３２は、ベースが第１のトランジスタ３１のコレクタに接続され、エミッタがグランドに接地され、コレクタが音声信号ライン４３を介してオーディオ出力ポート２３に接続されている。
【００２４】
ミュート回路３は、第１のトランジスタ３１のベースにＨｉｇｈアクティブのミュート制御信号が入力されると、第１のトランジスタがオフすると共に、第２のトランジスタがオフして、音声信号ライン４３をグランドから絶縁した状態にする。この状態では、オーディオ出力ポート２３から出力される音声信号は、音声出力端子５０からスピーカに出力されるため、スピーカからの音声の出力が可能となる。また、ミュート回路３は、第１のトランジスタ３１のベースにＬｏｗアクティブのミュート制御信号が入力されると、第１のトランジスタがオンすると共に、第２のトランジスタがオンして、音声信号ライン４３をグランドに接地した状態にする。この状態では、オーディオ出力ポート２３から出力される音声信号は、グランドに放出されて、音声出力端子５０からスピーカに出力されないため、スピーカからの音声の出力が不可能となる。
【００２５】
すなわち、ミュート回路３は、ミュート制御信号出力ポート２４から出力されたＨｉｇｈアクティブのミュート制御信号が入力されているときに、オーディオ出力ポート２３から出力される音声信号のスピーカへの出力を可能として、スピーカからの音声の出力が可能な状態にし、また、ミュート制御信号出力ポート２４から出力されたＬｏｗアクティブのミュート制御信号が入力されているときに、オーディオ出力ポート２３から出力される音声信号のスピーカへの出力を不可能として、スピーカからの音声の出力が不可能な状態にする。
【００２６】
ダイオード４は、ミュート制御信号ライン４４及びリセット信号ライン４２を介して、リセット信号入力ポート２２とミュート制御信号出力ポート２４との間に接続されている。ダイオード４は、アノードがミュート制御信号ライン４４を介してミュート制御信号出力ポート２４に接続され、カソードがリセット信号ライン４２を介してリセット信号入力ポート２２に接続されている。
【００２７】
このような構成の音声出力回路１は、電源スイッチがオンされると、マイコン２の電源入力ポート２１に電源ＶＣＣが入力されると共に、電源入力ポート２１に電源ＶＣＣが入力されてから（電源スイッチがオンされてから）所定遅延時間後にマイコン２のリセット信号入力ポート２２にＨｉｇｈアクティブのリセット信号が入力される。これにより、マイコン２が起動して動作を開始し、マイコン２によって、オーディオ出力ポート２３から音声信号を出力する制御、及びミュート制御信号出力ポート２４からＨｉｇｈアクティブのミュート制御信号とＬｏｗアクティブのミュート制御信号を選択的に出力する制御が開始される。
【００２８】
ここで、ダイオード４の働きについて説明する。上記音声出力回路１の動作において、電源スイッチがオンされて電源入力ポート２１に電源ＶＣＣが入力されたとき、過渡的な現象によって、一瞬、ミュート制御信号出力ポート２４からＨｉｇｈアクティブのミュート制御信号が出力されることがある。
【００２９】
しかしながら、ダイオード４がリセット信号入力ポート２２とミュート制御信号出力ポート２４との間に接続されており、このダイオード４は、アノードがミュート制御信号出力ポート２４に接続され、カソードがリセット信号入力ポート２２に接続されている。そして、電源入力ポート２１に電源ＶＣＣが入力されたとき、リセット信号入力ポート２２には、Ｌｏｗアクティブのリセット信号が入力されており、電源入力ポート２１に電源ＶＣＣが入力されてから所定遅延時間後まで（Ｈｉｇｈアクティブのリセット信号が入力されるまで）の間は、リセット信号入力ポート２２には、Ｌｏｗアクティブのリセット信号が入力される。
【００３０】
従って、電源スイッチがオンされて電源入力ポート２１に電源ＶＣＣが入力されたとき、過渡的な現象によって、一瞬、ミュート制御信号出力ポート２４からＨｉｇｈアクティブのミュート制御信号が出力されたとしても、そのＨｉｇｈアクティブのミュート制御信号は、ダイオード４を経由してリセット信号入力ポート２２に放出されて、ミュート回路３には入力されない。これにより、電源入力ポート２１に電源ＶＣＣが入力されたときに、ミュート制御信号ライン４４及びミュート回路３を介して音声信号ライン４３にノイズが進入することがなく、ポップ音（ノイズ音）が発生することがない。
【００３１】
また、電源入力ポート２１に電源ＶＣＣが入力されてから所定遅延時間後にリセット信号入力ポート２２にＨｉｇｈアクティブのリセット信号が入力されるとき、ダイオード４は、アノードがミュート制御信号出力ポート２４に接続され、カソードがリセット信号入力ポート２２に接続されているため、Ｈｉｇｈアクティブのリセット信号は、ダイオード４を経由してミュート制御信号出力ポート２４に放出されることがなく、リセット信号入力ポート２２に入力される。これにより、マイコン２は、電源ＶＣＣが入力されてから所定遅延時間後にＨｉｇｈアクティブのリセット信号が入力されて、動作を開始する。
【００３２】
マイコン２が動作を開始した後においては、マイコン２の動作を停止させるまでの間、リセット信号入力ポート２２にＨｉｇｈアクティブのリセット信号が入力されるため、マイコン２の制御によってミュート制御信号出力ポート２４から出力されるＨｉｇｈアクティブのミュート制御信号は、ダイオード４を経由してリセット信号入力ポート２２に放出されることがなく、ミュート回路３に入力される。これにより、マイコン２が動作を開始した後においては、マイコン２の制御によってミュート制御信号出力ポート２４から選択的に出力されるＨｉｇｈアクティブのミュート制御信号及びＬｏｗアクティブのミュート制御信号に応じて、ミュート回路３によって音声の出力が可能な状態と不可能な状態とに切替えられる。
【００３３】
このように、ダイオード４は、電源入力ポート２１に電源ＶＣＣが入力された後、リセット信号入力ポート２２にＨｉｇｈアクティブのリセット信号が入力されるまでの間（すなわちマイコン２が動作を開始するまでの間）、電源入力ポート２１に電源ＶＣＣが入力されたことによって過渡的にミュート制御信号出力ポート２４からＨｉｇｈアクティブのミュート制御信号が出力されたとしても、そのＨｉｇｈアクティブのミュート制御信号がミュート回路３に入力されないようにする働きをする。
【００３４】
このような構成の音声出力回路１によれば、マイコン２の電源入力ポート２１に電源ＶＣＣが入力されたとき、過渡的な現象によって、一瞬、マイコン２のミュート制御信号出力ポート２４からＨｉｇｈアクティブのミュート制御信号が出力されたとしても、そのＨｉｇｈアクティブのミュート制御信号は、ダイオード４の働きによって、ミュート回路３に入力されない。これにより、マイコン２の電源入力ポート２１に電源ＶＣＣが入力されたときに、ミュート制御信号ライン４４及びミュート回路３を介して音声信号ライン４３にノイズが進入することがなく、ポップ音（ノイズ音）が発生するのを防止することができる。
【００３５】
しかも、ダイオード４をリセット信号入力ポート２２とミュート制御信号出力ポート２４との間に接続することにより、簡素で容易な構成によって、マイコン２の電源入力ポート２１に電源ＶＣＣが入力されたときに、ポップ音が発生するのを防止することができる。
【００３６】
なお、本発明は、上記実施形態の構成に限られず、種々の変形が可能である。例えば、ミュート回路は、上記実施形態の構成に限られず、Ｈｉｇｈアクティブのミュート制御信号が入力されているときに、音声信号のスピーカへの出力を可能とし、Ｌｏｗアクティブのミュート制御信号が入力されているときに、音声信号のスピーカへの出力を不可能とするものであれば、どのような構成であってもよい。
【図面の簡単な説明】
【００３７】
【図１】本発明の一実施形態に係る音声出力回路の構成を示す電気回路図。
【図２】従来の音声出力回路の構成を示す電気回路図。
【符号の説明】
【００３８】
１    音声出力回路
２    マイコン
３    ミュート回路
４    ダイオード
２１    電源入力ポート
２２    リセット信号入力ポート
２３    オーディオ出力ポート
２４    ミュート制御信号出力ポート
３１    第１のトランジスタ
３２    第２のトランジスタ
４１    電源ライン
４２    リセット信号ライン
４３    音声信号ライン
４４    ミュート制御信号ライン
５０    音声出力端子
【図１】
2009177638.tif 000003
【図２】
2009177638.tif 000004